(57)【要約】      （修正有）【課題】 安価で携帯や保管が楽な新規の屋形テント用ウエイトを提供することを目的とする。【解決手段】 防水性帆布を以て構成した密閉型の嚢体と、嚢体の壁面に設けた注排水用栓と、注排水用栓のキャップの閉止状態保持装置と、嚢体の外周面に巻き止めたスレ補強布と、スレ補強布に設けたベルト通し環と、ベルト通し環に通して提手やショルダあるいは縛り付け部材等として用いる連結用バックル付き付属ベルトと、を備えたものである。【選択図】図１
0003118820.tif 000002
【実用新案登録請求の範囲】
【請求項１】
防水性帆布を以て構成した密閉型の嚢体と、嚢体の壁面に設けた注排水用栓と、嚢体の外周面に設けたベルト通し環と、ベルト通し環に通して提手やショルダあるいは縛り付け部材等として用いる連結用バックル付き付属ベルトを備えたことを特徴とする屋形テント用ウエイト。
【請求項２】
防水性帆布を以て構成した密閉型の嚢体と、嚢体の壁面に設けた注排水用栓と、注排水用栓のキャップの閉止状態保持装置と、嚢体の外周面に巻き止めたスレ補強布と、スレ補強布に設けたベルト通し環と、ベルト通し環に通して提手やショルダあるいは縛り付け部材等として用いる連結用バックル付き付属ベルトと、を備えたことを特徴とする屋形テント用ウエイト。
。
【考案の詳細な説明】
【技術分野】
【０００１】
本考案は、屋形テントの強風・突風対策として使用したり、あるいはその他の諸用途に任意に且つ手軽に転用したりできる水入りタイプの屋形テント用ウエイトに関する。
【背景技術】
【０００２】
従来、屋形テントの強風対策として、テント柱に砂入り土嚢を縛り付けたり、重い鉄鋳物のウエイト若しくはポリタンク利用の水入れ式ウエイトを載せ置いたりしていた。
【０００３】
しかし乍ら、上記の砂入り土嚢は、予め砂を用意するか砂のある場所で使用するかする必要がある不都合があり、また鉄鋳物のウエイトは、運搬や保管のときには重くて取扱いに不便であり、更にポリタンク利用の水入れ式ウエイトは、不用時にはテント１張りに対して占める体積が大きく嵩張るものであって、このために公共体やスポーツ団体等のような大量のテントユーザーの保管スペースは、テント本体の占める割合よりもウエイトの占める保管スペースの方が多く、スペースの有効利用向きではない等の問題点があった。
【０００４】
このようなこともあって、安価で携帯や保管が楽なウエイトの登場が切望されていた。
【考案の開示】
【考案が解決しようとする課題】
【０００５】
本考案は、上記現状に鑑み、安価で携帯や保管が楽な新規の屋形テント用ウエイトを提供することを目的とする。
【課題を解決するための手段】
【０００６】
上記目的を達成するために請求項１に係る屋形テント用ウエイトは、防水性帆布を以て構成した密閉型の嚢体と、嚢体の壁面に設けた注排水用栓と、嚢体の外周面に設けたベルト通し環と、ベルト通し環に通して提手やショルダあるいは縛り付け部材等として用いる連結用バックル付き付属ベルトを備えたものである。
【０００７】
同じく、請求項２に係る屋形テント用ウエイトは、防水性帆布を以て構成した密閉型の嚢体と、嚢体の壁面に設けた注排水用栓と、注排水用栓のキャップの閉止状態保持装置と、嚢体の外周面に巻き止めたスレ補強布と、スレ補強布に設けたベルト通し環と、ベルト通し環に通して提手やショルダあるいは縛り付け部材等として用いる連結用バックル付き付属ベルトと、を備えたものである。
【０００８】
【表１】
0003118820.tif 000003
【考案の効果】
【０００９】
本考案に係る屋形テント用ウエイトは、上記のような構成であるので、次のような諸効果を奏する。
・ 防水強力帆布製であるのでタフで長持ちする。
・ 防水強靭帆布製であるのでぶつかっても安全である。
・ 水道水等水を入れるだけで簡単にウエイトになる。
・ 水量で適切な重量に調節できる。
・ 水を入れる前までは帆布重量のみで軽量である。
・ 不用時はコンパクトに畳んであるいは丸めて簡単に格納できる。
・ 保管場所をとらないで済むので合理的である。
・ 屋形テントの付属セットにしても嵩張らない。
・ ベルトの締め具合で形状が変わるのでテント柱に抱かさせて止めるときには止め易い。
・ 凹凸のある地形上に横に寝かせ置いた場合には地形に沿って変形してフィットした安定の状態を呈するので充分なウエイト機能を果たす。
・ 吊り下げても、縦にしても、横にしても、数本まで束ねても、または井桁に積み上げても変形自在で都合がよい。
・ ぺグ打ち禁止の公式グランドやコンクリート舗装地でも使用できる。
・ イベントの各種張り綱のウエイトやぺグの代用としても使用できる。
・ 衝突しても危険がないので物押えとしても使用可能であり、バリケード押えやシート押え等にも極めて重宝に使用できる。
・ 横に寝かせれば中の水の重みで接地面積が多くなるので、すべりにくく且つころがりにくく、安定した押えウエイトとして機能する。
・ アウトドア用品としてもぺグのきかない川原や砂浜でも水を入れるだけでぺグや抑えとして利用できる。
・ 水のこぼれない帆布バケツとしても利用でき、飲料用貯水タンクとして重宝である。
・ スマートな形状で横にすれば凹凸地形でも難なく置くことができる。
・ 畳めばアウトドア用品必須のコンパクト収納が可能になる。
・ ウエイトとしての持運びも複数本の長さ自在ベルトで、縦持ち・横持ち・肩掛け持ち等ができる。
・ ベルトの多数本を任意に連結したり当該ベルトを利用して嚢体の多数個を任意に連結したりして他の用途に利用できる。
【実施例】
【００１０】
図に示す実施例は、下記の「表１」に示す特性を備えた防水性強靭帆布（通称：ターポリン）を以て縦長のオモテ面用およびウラ面用シート１、２を構成し、これ等オモテ面・ウラ面用シート１、２を重ねてその上端部間および下端部間に同じ防水性強靭帆布を裁断することで予め得た頂面用シート３および底面用シート４を二つ折りとし且つその折り線部５，６が内側となる向きとなるようにして挟入すると共にこの挟入状態で、オモテ・ウラ面用シート１、２の上下両側縁７と頂・底面用シート３、４の上下辺両縁８とを相互に、またオモテ・ウラ面用シート１、２の左右両側縁９と頂・底面用シート３、４の左右辺両縁１０とを相互に高周波溶着して縦長の丸胴型嚢体１１を構成する。尚、底面用シート４の下面には低部スレ止め補強片１２を重ね設けて耐久性を高くしている。
【００１１】
また、上記の頂面用シート３に軟質合成樹脂製の注排水用栓１３を取付けると共にこの取付個所の両側に左右一対の舌状片１５，１６を取付け且つこれ等左右舌状片１５，１６の先端個所に相互に着脱自在に噛合するオス・メスの面ファスナー１７、１８を取付け、よって注排水用栓１３のキャップ１４の閉止状態保持装置１９を設けてある。
【００１２】
更に、嚢体１１の上端寄り個所および下端寄り個所の外周面に帯状のスレ補強布２１、２２を巻き止め且つ当該スレ補強布２１、２２の左右両側にベルト通し環２３、２４を設けてある。
【００１３】
また、これとは別個に、起伏操作片２６を倒し状態としたときには他のベルトの末端部を銜え止めて保持連結しまた起し状態としたときには当該連結を解消する構成とされた硬質合成樹脂製のバックル２７を軟質合成樹脂材料製ベルト本体２８の基端に取付けることによって多数本の付属ベルト２９を構成し、これ等付属ベルト２９と上記嚢体１１をセットとしてユーザーに提供するものである。
【図面の簡単な説明】
【００１４】
【図１】本考案の実施例を示す全体の斜視図である。
【図２】同じく平面図である。
【図３】図１Ａ-Ａ線に沿う拡大断面図である。
【図４】製造途中の状態を示す斜視図である。
【図５】ベルトを示す一部切截側面図である。
【図６】横持ちの状態で示す斜視図である。
【図７】縦持ちの状態で示す斜視図である。
【図８】ショルダー掛けの状態で示す斜視図である。
【図９】テントの柱に縛り付けた状態で示す斜視図である。
【図１０】ロープで木に吊下げた状態で示す斜視図である。
【図１１】ベルトで多数個を束ねたのちにこれにロープの端を止めた状態で示す斜視図である。
【図１２】ベルトで多数個を井桁に組み止めてからロープの端を止めた状態で示す斜視図である。
【図１３】所謂物押えとして用いている状態で示す斜視図である。
【符号の説明】
【００１５】
１ オモテ面用シート
２ ウラ面用シート
３ 頂面用シート
４ 底面用シート
５ 折り線部
６ 折り線部
７ 上下両側縁
８ 上下辺両縁
９ 左右両側縁
１０ 左右両側縁
１１ 嚢体
１２ 補強片
１３ 注排水用栓
１５、１６ 舌状片
１７、１８ 面ファスナー
１９ 閉止状態保持装置
２１、２２ スレ補強布
２３、２４ ベルト通し環
２６ 起伏操作片
２７ バックル
２８ ベルト本体
２９ 付属ベルト
【図１】
0003118820.tif 000004
【図２】
0003118820.tif 000005
【図３】
0003118820.tif 000006
【図４】
0003118820.tif 000007
【図５】
0003118820.tif 000008
【図６】
0003118820.tif 000009
【図７】
0003118820.tif 000010
【図８】
0003118820.tif 000011
【図９】
0003118820.tif 000012
【図１０】
0003118820.tif 000013
【図１１】
0003118820.tif 000014
【図１２】
0003118820.tif 000015
【図１３】
0003118820.tif 000016